(57)【要約】【課題】操作性の良いユーザインターフェースを備えた制御システムを提供する。【解決手段】制御システムの端末は、表示部の図に示された場所に生じた事象に関する前記場所の状況と、前記場所用の設備の状態との何れかを示す第１情報を第１操作によって入力し、前記図上の任意の範囲を指定する第２情報を第２操作によって入力する入力部と、前記第１情報及び前記第２情報とを送信する送信部と、を有する。制御装置は、前記第１情報及び前記第２情報を受信する受信部と、前記図上の位置に対応付けて前記場所用の１又は複数の設備の区画を示す情報を記憶するとともに、前記各設備の区画を制御するための情報を記憶する記憶部と、前記記憶部を参照して、前記第２情報に対応する１又は複数の前記設備の区画を選択し、当該選択した１又は複数の前記設備の区画の動作を前記第１情報に基づき制御するための制御信号を出力する出力部とを有する。【選択図】図１
2019050055.tif 000002
【特許請求の範囲】
【請求項１】
所定の場所を示す図を表示する表示部と、
前記図に示された場所に生じた事象に関する前記場所の状況と、前記場所用の設備の状態との何れかを示す第１情報を第１操作によって入力し、前記図上の任意の範囲を指定する第２情報を第２操作によって入力する入力部と、
前記第１操作に対応する前記第１情報と、前記第２操作に対応する前記第２情報とを送信する送信部と
を有する端末と、
前記送信部が送信した前記第１情報及び前記第２情報を受信する受信部と、
前記図上の位置に対応付けて前記場所用の１又は複数の設備の区画を示す情報を記憶するとともに、前記各設備の区画を制御するための情報を記憶する記憶部と、
前記記憶部を参照して、前記第２情報に対応する１又は複数の前記設備の区画を選択し、当該選択した１又は複数の前記設備の区画の動作を前記第１情報に基づき制御するための制御信号を出力する出力部と
を有する制御装置と
を備えることを特徴とする制御システム。
【請求項２】
所定の場所を示す図を表示する表示部と、
前記図に示された場所に生じた事象に関する前記場所の状況と、前記場所用の設備の状態の何れかを示す第１情報を第１操作によって入力し、前記図上の任意の範囲を指定する第２情報を第２操作によって入力する入力部と、
前記図上の位置に対応付けて前記場所用の１又は複数の設備の区画を示す情報を記憶するとともに、前記各設備の区画を制御するための情報を記憶する記憶部と、
前記記憶部を参照して、前記第２操作に対応する第２情報に対応する１又は複数の前記設備の区画を選択し、当該選択した１又は複数の前記設備の区画の動作を前記前記第１操作に対応する第１情報に基づき制御するための制御信号を出力する出力部と
を備えることを特徴とする制御システム。
【請求項３】
前記第１情報によって示される前記場所用の設備の状態には、前記場所用の設備の故障状態が含まれる、
ことを特徴とする請求項１又は請求項２に記載の制御システム。
【請求項４】
前記第１情報によって示される前記場所の状況には、前記場所の利用状況に関する情報が含まれる、
ことを特徴とする請求項１又は請求項２に記載の制御システム。
【請求項５】
前記表示部は、前記所定の場所を示す図に重ならないように、前記第１情報を入力させるためのアイコンを並べて表示して、前記第１情報の入力操作がなされたアイコンを、前記所定の場所を示す図に重ねて表示する、
ことを特徴とする請求項１から請求項４の何れか１項に記載の制御システム。
【請求項６】
前記入力部は、前記表示部が前記所定の場所を示す図を表示している間に、前記第１操作と前記第２操作とを受け付ける、
ことを特徴とする請求項１から請求項５の何れか１項に記載の制御システム。
【請求項７】
前記第１情報と前記第２情報とを、所定の宛先に通知する通知部
を備えることを特徴とする請求項１から請求項６の何れか１項に記載の制御システム。
【請求項８】
前記出力部は、
前記第１情報と前記第２情報とに基づいて、前記場所の利用者に所定の情報を通知するように、前記制御信号を出力する
ことを特徴とする請求項１から請求項７の何れか１項に記載の制御システム。
【請求項９】
前記入力部の入力面と前記表示部の表示面とが一体的に構成されていて、
前記第１操作が、前記表示部に表示されたアイコンに対して触れる操作であり、
前記第２操作が、前記第１操作で触れたアイコンに触れたまま前記図上の任意の位置まで移動して前記入力面から手を離す操作であり、
前記表示部は、
前記第２操作が検出された場合、前記手を離した入力面上の位置に関連する位置に前記アイコンを表示する
ことを特徴とする請求項１から８の何れか１項に記載の制御システム。
【請求項１０】
所定の場所を示す図を表示部に表示させるステップと、
前記図に示された場所に生じた事象に関する前記場所の状況と、前記場所用の設備の状態との何れかを示す第１情報を第１操作によって入力し、前記図上の任意の範囲を指定する第２情報を第２操作によって入力するステップと、
前記第１操作に対応する前記第１情報と、前記第２操作に対応する前記第２情報とを送信するステップと
を端末のコンピュータに実行させるための第１プログラムと、
前記送信部が送信した前記第１情報及び前記第２情報を受信するステップと、
前記図上の位置に対応付けて前記場所用の１又は複数の設備の区画を示す情報を記憶するとともに、前記各設備の区画を制御するための情報を記憶部に記憶させるステップと、
前記記憶部を参照して、前記第２情報に対応する１又は複数の前記設備の区画を選択し、当該選択した１又は複数の前記設備の区画の動作を前記第１情報に基づき制御するための制御信号を出力するステップと
を制御装置のコンピュータに実行させるための第２プログラムと
を含むプログラム。
【請求項１１】
所定の場所を示す図を表示部に表示させるステップと、
前記図に示された場所に生じた事象に関する前記場所の状況と、前記場所用の設備の状態の何れかを示す第１情報を第１操作によって入力し、前記図上の任意の範囲を指定する第２情報を第２操作によって入力するステップと、
前記図上の位置に対応付けて前記場所用の１又は複数の設備の区画を示す情報を記憶するとともに、前記各設備の区画を制御するための情報を記憶部に記憶させるステップと、
前記記憶部を参照して、前記第２操作に対応する第２情報に対応する１又は複数の前記設備の区画を選択し、当該選択した１又は複数の前記設備の区画の動作を前記前記第１操作に対応する第１情報に基づき制御するための制御信号を出力するステップと
を実行させるためのプログラム。
【請求項１２】
端末装置のコンピュータに、
所定の場所を示す図を表示部に表示させるステップと、
前記図に示された場所に生じた事象に関する前記場所の状況と、前記場所用の設備の状態との何れかを示す第１情報を第１操作によって入力し、前記図上の任意の範囲を指定する第２情報を第２操作によって入力するステップと、
前記第１操作に対応する前記第１情報と、前記第２操作に対応する前記第２情報とを送信するステップと、
前記端末装置からの送信により、サーバに前記第１情報及び前記第２情報に基づいて記憶部を参照させて、前記第２情報に対応する１又は複数の前記設備の区画を選択させ、当該選択した１又は複数の前記設備の区画の動作を前記第１情報に基づき制御するための制御信号を出力させ、前記制御信号を出力した前記サーバから通知を受けたことを出力するステップと、
を実行させるためのプログラムであって、
前記記憶部には、前記図上の位置に対応付けて前記場所用の１又は複数の設備の区画を示す情報が記憶される、
プログラム。
【発明の詳細な説明】
【技術分野】
【０００１】
本発明は、制御システム及びプログラムに関する。
【背景技術】
【０００２】
建物には、空気調和設備（空調設備）、照明設備、など各種設備が複数設けられ、それぞれの設備は、それぞれの設備制御装置により制御されている。このような設備の状態を調整する場合には、操作盤やスイッチなどを操作することにより行われている。ただし、設備そのもの位置や、その設備に対応して設けられている操作盤やスイッチなどの位置がわかりにくい場合には、操作を容易に行えないことがある。このため、操作を容易にする技術が種々提案されている（例えば、特許文献１から３参照）。これらの文献に記載されている構成では、画面上に表示されたアイコン、シンボル等をユーザがタッチすることで、対象とする設備の指定や調整内容の決定が行われる。
【先行技術文献】
【特許文献】
【０００３】
【特許文献１】特開平３−３８７１５号公報
【特許文献２】特開平５−３５９０号公報
【特許文献３】特開平６−２６９０７０号公報
【発明の概要】
【発明が解決しようとする課題】
【０００４】
ところで、近年、オフィスビル等では、省エネ等のため、空調設備、照明設備等の区画の細分化や運用時における使用区画の限定化が望まれている。また、ユーザに対しては、区画を適切に選択した上で、こまめに設備を調整する操作を行うことが求められる場合がある。しかしながら、特許文献１から３に示されているような、予め決められたアイコン、シンボル等をタッチすることで入力操作を行うユーザインターフェースでは、細分化された区画に対する調整操作において、例えば範囲選択の柔軟性が乏しいなど、操作性が充分ではない場合が生じるという課題があった。
【０００５】
本発明は、このような事情に鑑みてなされたもので、操作性の良いユーザインターフェースを備えた制御システム及びプログラムを提供する。
【課題を解決するための手段】
【０００６】
上述した課題を解決するために、本発明の一態様は、所定の場所を示す図を表示する表示部と、前記図に示された場所に生じた事象に関する前記場所の状況と、前記場所用の設備の状態との何れかを示す第１情報を第１操作によって入力し、前記図上の任意の範囲を指定する第２情報を第２操作によって入力する入力部と、前記第１操作に対応する前記第１情報と、前記第２操作に対応する前記第２情報とを送信する送信部とを有する端末と、前記送信部が送信した前記第１情報及び前記第２情報を受信する受信部と、前記図上の位置に対応付けて前記場所用の１又は複数の設備の区画を示す情報を記憶するとともに、前記各設備の区画を制御するための情報を記憶する記憶部と、前記記憶部を参照して、前記第２情報に対応する１又は複数の前記設備の区画を選択し、当該選択した１又は複数の前記設備の区画の動作を前記第１情報に基づき制御するための制御信号を出力する出力部とを有する制御装置とを備えることを特徴とする制御システムである。
本発明の一態様は、所定の場所を示す図を表示する表示部と、前記図に示された場所に生じた事象に関する前記場所の状況と、前記場所用の設備の状態の何れかを示す第１情報を第１操作によって入力し、前記図上の任意の範囲を指定する第２情報を第２操作によって入力する入力部と、前記図上の位置に対応付けて前記場所用の１又は複数の設備の区画を示す情報を記憶するとともに、前記各設備の区画を制御するための情報を記憶する記憶部と、前記記憶部を参照して、前記第２操作に対応する第２情報に対応する１又は複数の前記設備の区画を選択し、当該選択した１又は複数の前記設備の区画の動作を前記前記第１操作に対応する第１情報に基づき制御するための制御信号を出力する出力部とを備えることを特徴とする制御システム。
本発明の一態様は、前記第１情報によって示される前記場所用の設備の状態には、前記場所用の設備の故障状態が含まれることを特徴とする。
本発明の一態様は、前記第１情報によって示される前記場所の状況には、前記場所の利用状況に関する情報が含まれることを特徴とする。
本発明の一態様は、前記表示部は、前記所定の場所を示す図に重ならないように、前記第１情報を入力させるためのアイコンを並べて表示して、前記第１情報の入力操作がなされたアイコンを、前記所定の場所を示す図に重ねて表示することを特徴とする。
本発明の一態様は、前記入力部は、前記表示部が前記所定の場所を示す図を表示している間に、前記第１操作と前記第２操作とを受け付けることを特徴とする。
本発明の一態様は、前記第１情報と前記第２情報とを、所定の宛先に通知する通知部
を備えることを特徴とする。
本発明の一態様は、前記出力部は、前記第１情報と前記第２情報とに基づいて、前記場所の利用者に所定の情報を通知するように、前記制御信号を出力することを特徴とする。
本発明の一態様は、前記入力部の入力面と前記表示部の表示面とが一体的に構成されていて、前記第１操作が、前記表示部に表示されたアイコンに対して触れる操作であり、前記第２操作が、前記第１操作で触れたアイコンに触れたまま前記図上の任意の位置まで移動して前記入力面から手を離す操作であり、前記表示部は、前記第２操作が検出された場合、前記手を離した入力面上の位置に関連する位置に前記アイコンを表示する
ことを特徴とする。
本発明の一態様は、所定の場所を示す図を表示部に表示させるステップと、前記図に示された場所に生じた事象に関する前記場所の状況と、前記場所用の設備の状態との何れかを示す第１情報を第１操作によって入力し、前記図上の任意の範囲を指定する第２情報を第２操作によって入力するステップと、前記第１操作に対応する前記第１情報と、前記第２操作に対応する前記第２情報とを送信するステップとを端末のコンピュータに実行させるための第１プログラムと、前記送信部が送信した前記第１情報及び前記第２情報を受信するステップと、前記図上の位置に対応付けて前記場所用の１又は複数の設備の区画を示す情報を記憶するとともに、前記各設備の区画を制御するための情報を記憶部に記憶させるステップと、前記記憶部を参照して、前記第２情報に対応する１又は複数の前記設備の区画を選択し、当該選択した１又は複数の前記設備の区画の動作を前記第１情報に基づき制御するための制御信号を出力するステップとを制御装置のコンピュータに実行させるための第２プログラムとを含むプログラムである。
本発明の一態様は、所定の場所を示す図を表示部に表示させるステップと、前記図に示された場所に生じた事象に関する前記場所の状況と、前記場所用の設備の状態の何れかを示す第１情報を第１操作によって入力し、前記図上の任意の範囲を指定する第２情報を第２操作によって入力するステップと、  前記図上の位置に対応付けて前記場所用の１又は複数の設備の区画を示す情報を記憶するとともに、前記各設備の区画を制御するための情報を記憶部に記憶させるステップと、前記記憶部を参照して、前記第２操作に対応する第２情報に対応する１又は複数の前記設備の区画を選択し、当該選択した１又は複数の前記設備の区画の動作を前記前記第１操作に対応する第１情報に基づき制御するための制御信号を出力するステップとを実行させるためのプログラムである。
本発明の一態様は、端末装置のコンピュータに、所定の場所を示す図を表示部に表示させるステップと、前記図に示された場所に生じた事象に関する前記場所の状況と、前記場所用の設備の状態との何れかを示す第１情報を第１操作によって入力し、前記図上の任意の範囲を指定する第２情報を第２操作によって入力するステップと、前記第１操作に対応する前記第１情報と、前記第２操作に対応する前記第２情報とを送信するステップと、前記端末装置からの送信により、サーバに前記第１情報及び前記第２情報に基づいて記憶部を参照させて、前記第２情報に対応する１又は複数の前記設備の区画を選択させ、当該選択した１又は複数の前記設備の区画の動作を前記第１情報に基づき制御するための制御信号を出力させ、前記制御信号を出力した前記サーバから通知を受けたことを出力するステップと、を実行させるためのプログラムであって、前記記憶部には、前記図上の位置に対応付けて前記場所用の１又は複数の設備の区画を示す情報が記憶されるプログラムである。
関連する発明の一態様は、所定の場所を示す図を表示する表示部と、前記場所用の設備に対して所定の動作を指示する第１操作を入力するとともに、前記図上の任意の範囲を指定する第２操作を入力する入力部と、前記第１操作に対応する第１情報と、前記第２操作に対応する第２情報とを送信する送信部とを有する端末と、前記送信部が送信した前記第１情報及び前記第２情報を受信する受信部と、前記図上の位置に対応付けて前記場所用の１又は複数の設備の区画を示す情報を記憶するとともに、前記各設備の区画を制御するための情報を記憶する記憶部と、前記記憶部を参照して、前記第２情報に対応する１又は複数の前記設備の区画を選択し、当該選択した１又は複数の前記設備の区画の動作を前記第１情報に基づき制御するための制御信号を出力する出力部とを有する制御装置とを備えることを特徴とする制御システムである。
【０００７】
また、関連する発明の一態様は、所定の場所を示す図を表示する表示部と、前記場所用の設備に対して所定の動作を指示する第１操作を入力するとともに、前記図上の任意の範囲を指定する第２操作を入力する入力部と、前記図上の位置に対応付けて前記場所用の１又は複数の設備の区画を示す情報を記憶するとともに、前記各設備の区画を制御するための情報を記憶する記憶部と、前記記憶部を参照して、前記第２操作に対応する第２情報に対応する１又は複数の前記設備の区画を選択し、当該選択した１又は複数の前記設備の区画の動作を前記前記第１操作に対応する第１情報に基づき制御するための制御信号を出力する出力部とを備えることを特徴とする制御システムである。
【０００８】
また、関連する発明の一態様は、上記の制御システムにおいて、前記第２操作が、前記第１操作に続いて行われることを特徴とする。
【０００９】
また、関連する発明の一態様は、上記の制御システムにおいて、前記入力部の入力面と前記表示部の表示面とが一体的に構成されていて、前記第１操作が、前記表示部に表示されたアイコンに対して触れる操作であり、前記第２操作が、前記図上で任意の範囲をなぞる操作であることを特徴とする。
【００１０】
また、関連する発明の一態様は、上記の制御システムにおいて、前記入力部の入力面と前記表示部の表示面とが一体的に構成されていて、前記第１操作が、前記表示部に表示されたアイコンに対して触れる操作であり、前記第２操作が、前記図上で任意の範囲をなぞって囲む操作であることを特徴とする。
【００１１】
また、関連する発明の一態様は、上記の制御システムにおいて、前記入力部の入力面と前記表示部の表示面とが一体的に構成されていて、前記第１操作が、前記表示部に表示されたアイコンに対して触れる操作であり、前記第２操作が、前記第１操作で触れたアイコンに触れたまま前記図上の任意の位置まで移動して離す操作であることを特徴とする。
【００１２】
また、関連する発明の一態様は、上記の制御システムにおいて、前記出力部が、複数回の前記第１操作と前記第２操作とに基づいて前記制御信号を出力することを特徴とする。
【００１３】
また、関連する発明の一態様は、上記の制御システムにおいて、前記設備が、前記場所で用いられる電気機器であることを特徴とする。
【００１４】
また、関連する発明の一態様は、上記の制御システムにおいて、前記第１操作が、前記場所用の設備に対して所定の動作を指示する入力操作又は前記場所用の設備に関して通知すべき事項を指示する入力操作であることを特徴とする。
【００１５】
また、関連する発明の一態様は、端末において、表示部で、所定の場所を示す図を表示するステップと、入力部で、前記場所用の設備に対して所定の動作を指示する第１操作を入力するとともに、前記図上の任意の範囲を指定する第２操作を入力するステップと、送信部で、前記第１操作に対応する第１情報と、前記第２操作に対応する第２情報とを送信するステップと、制御装置において、前記図上の位置に対応付けて前記場所用の１又は複数の設備の区画を示す情報を記憶するとともに、前記各設備の区画を制御するための情報を記憶する記憶部を用いて、受信部で、前記送信部が送信した前記第１情報及び前記第２情報を受信するステップと、出力部で、前記記憶部を参照して、前記第２情報に対応する１又は複数の前記設備の区画を選択し、当該選択した１又は複数の前記設備の区画の動作を前記第１情報に基づき制御するための制御信号を出力するステップとを含むことを特徴とする制御方法である。
【００１６】
また、関連する発明の一態様は、端末のコンピュータに、表示部で、所定の場所を示す図を表示するステップと、入力部で、前記場所用の設備に対して所定の動作を指示する第１操作を入力するとともに、前記図上の任意の範囲を指定する第２操作を入力するステップと、送信部で、前記第１操作に対応する第１情報と、前記第２操作に対応する第２情報とを送信するステップとを実行させるとともに、制御装置のコンピュータに、前記図上の位置に対応付けて前記場所用の１又は複数の設備の区画を示す情報を記憶するとともに、前記各設備の区画を制御するための情報を記憶する記憶部を用いて、受信部で、前記送信部が送信した前記第１情報及び前記第２情報を受信するステップと、出力部で、前記記憶部を参照して、前記第２情報に対応する１又は複数の前記設備の区画を選択し、当該選択した１又は複数の前記設備の区画の動作を前記第１情報に基づき制御するための制御信号を出力するステップと実行させるためのプログラムである。
【発明の効果】
【００１７】
本発明によれば、簡単な操作で任意の範囲に対応する適切な設備を選択することができる。よって、操作における煩わしさを低減することができ、ユーザインターフェースの操作性を向上させることができる。
【図面の簡単な説明】
【００１８】
【図１】本発明の実施形態による制御システムの構成を説明するための概略ブロック図である。
【図２】本発明の実施形態による表示部１１の表示画面の一例を説明するための説明図である。
【図３】本発明の実施形態による表示部１１の表示画面の領域７に表示する図の一例を説明するための説明図である。
【図４】本発明の実施形態による端末１の動作例を説明するためのフローチャートである。
【図５】本発明の実施形態による表示部１１の表示画面の一例を説明するための説明図である。
【図６】本発明の実施形態による表示部１１の表示画面の一例を説明するための説明図である。
【図７】本発明の実施形態による端末１の動作例を説明するための説明図である。
【図８】本発明の実施形態による表示部１１の表示画面の一例を説明するための説明図である。
【図９】本発明の実施形態による表示部１１の表示画面の一例を説明するための説明図である。
【図１０】本発明の実施形態による表示部１１の表示画面の一例を説明するための説明図である。
【図１１】本発明の実施形態による表示部１１の表示画面の一例を説明するための説明図である。
【図１２】本発明の実施形態による端末１の動作例を説明するための説明図である。
【図１３】本発明の実施形態による端末１の動作例を説明するための説明図である。
【図１４】本発明の実施形態による記憶部２１の構成例を説明するための説明図である。
【図１５】本発明の実施形態による記憶部２１の構成例を説明するための説明図である。
【図１６】本発明の実施形態による制御装置２の動作例を説明するためのフローチャートである。
【図１７】本発明の実施形態による制御装置２の動作例を説明するための説明図である。
【図１８】本発明の実施形態による制御装置２の動作例を説明するための説明図である。
【図１９】本発明の実施形態による制御装置２の動作例を説明するための説明図である。
【図２０】本発明の実施形態による制御装置２の動作例を説明するための説明図である。
【図２１】本発明の実施形態による表示部１１の表示画面の一例を説明するための説明図である。
【図２２】本発明の実施形態による表示部１１の表示画面の一例を説明するための説明図である。
【図２３】本発明の実施形態による表示部１１の表示画面の一例を説明するための説明図である。
【図２４】本発明の実施形態による表示部１１の表示画面の一例を説明するための説明図である。
【図２５】本発明の実施形態による表示部１１の表示画面の一例を説明するための説明図である。
【図２６】本発明の実施形態による表示部１１の表示画面の一例を説明するための説明図である。
【図２７】本発明の実施形態による制御システムの制御対象の一例を説明するための概略ブロック図である。
【発明を実施するための形態】
【００１９】
以下、図面を参照して本発明の実施の形態について説明する。
【００２０】
図１は、本発明の実施形態による制御システムの構成を説明するための概略ブロック図である。制御システム１００は、端末１と、制御装置２とを備えている。端末１と制御装置２とは、図示していない無線や有線の通信回線を介して接続される。端末１は、ユーザの入力操作に基づき、設備を操作するために用いる第１情報と第２情報とを生成し、制御装置２に対して送信する。第１情報は、設備に対する操作の内容を指示するための情報である。第２情報は、操作対象の設備を特定するための情報である。制御装置２は、図示していない無線や有線の通信回線を介して設備制御装置３と接続され、第１情報と第２情報と基づき設備を制御するための制御信号を生成し、設備制御装置３に対して出力する。設備制御装置３は、制御装置２から受信した制御信号に基づき複数の照明設備４と複数の空調設備５とを制御する。
【００２１】
端末１は、インターネット、ローカルエリアネットワーク等における通信回線を介して各種サーバ等と通信可能な携帯型の情報端末（クライアント）であり、スマートフォン、携帯電話、ノート型ＰＣ（Ｐｅｒｓｏｎａｌ  Ｃｏｍｐｕｔｅｒ）、タブレット型ＰＣ、携帯型ゲーム機等のスマートデバイスを適用することができる。ここでは、端末１は、スマートフォンであるものとして説明する。なお、この図では１台の端末１を図示しているが、複数のユーザがそれぞれ利用している各端末１が、通信回線を介して制御装置２に接続される。
【００２２】
図１の概略ブロック図において、端末１は、表示部１１と入力部１２とを含むタッチパネル１３と、送信部１４とを備える。表示部１１、入力部１２、タッチパネル１３及び送信部１４は、ＣＰＵ（中央処理装置）、ＭＰＵ（超小型演算装置）等のプロセッサ及びその周辺装置と、プロセッサが実行するプログラムとの組み合わせから構成された機能ブロックである。表示部１１、入力部１２、タッチパネル１３又は送信部１４を構成するプロセッサやプログラムは、各ブロックにそれぞれ設けられていてもよいし、複数のブロックで共用されていてもよい。
【００２３】
タッチパネル１３を構成する表示部１１の表示面と入力部１２の入力面とは重ね合わせて一体として構成されている。表示部１１は、画像や文字等の情報を表示する液晶ディスプレイや有機ＥＬ（Electro-Luminescence）ディスプレイ等の表示装置を備えている。入力部１２は、表示部１１の表示面上における接触を検知することにより、ユーザからの操作入力を受け付ける。例えば、入力部１２は、静電容量の変化、圧力の変化、電気抵抗の変化などを利用して接触を検出するタッチセンサを備えている。入力部１２は、ユーザからの操作入力を受け付けると、受け付けた操作入力に応じた操作入力信号を送信部１４に供給する。
【００２４】
本実施形態において表示部１１は、所定の場所を示す図を表示する。所定の場所とは、例えば１棟の建物、建物の１フロア、建物内の１又は複数の部屋、１フロア又は１部屋内の１又は複数の区域等に対応し、例えば予め１つに決められていたり、複数用意されたもののなかからユーザによって選択されたりしたものである。所定の場所を示す図とは、例えばその場所を示す平面図であって、その場所内の位置関係を示す表示情報を含むものである。位置関係を示す表示情報とは、例えば、方角を表す印であったり、壁、柱、扉、窓、階段、エレベータ、エスカレータ等の建物の構成要素であったり、机、間仕切り等の什器であったり、場所の名称（例えば部屋の名称）、部署名、個人名等を表す文字情報であったり、それらを示すシンボルであったりする。なお、所定の場所は、屋内に限らず、屋外であってもよい。
【００２５】
また、表示部１１は、表示した図が示す場所用の設備に対して所定の動作を指示する第１操作を入力するための複数のボタンを表示する。また、入力部１２は、表示した場所用の設備に対して所定の動作を指示するためのボタンに対する入力操作である第１操作を入力するとともに、表示した図上の任意の範囲を指定する第２操作を入力する。第１操作は、ボタンに対するタッチやタッピング、ボタンをドラッグする際のタッチしたままスライドさせるドラッグ操作を開始するタッチ等とすることができる。第２操作は、表示した図上で任意の範囲を、特定の方向に表示面をなぞる操作、特定の領域をなぞって囲む操作、第１操作でタッチしたボタンをタッチしたまま図上の任意の位置までドラッグしてドロップする操作等である。あるいは、第２操作は、表示した図上で任意の範囲を、水平状又は垂直状になぞる操作であってもよい。その場合、水平状又は垂直状になぞった軌跡から上下又は左右方向に所定の大きさの領域を含む範囲を、任意の範囲とすることができる。あるいは、第２操作は、表示した図上で任意の範囲を、線状に又はユーザの操作により定まる任意の形状になぞる操作であってもよい。その場合、線状に又はユーザの操作により定まる任意の形状になぞった軌跡から上下又は左右方向に所定の大きさの領域を含む範囲を、任意の範囲とすることができる。また、第１操作と第２操作との関連づけは、操作の順序、ドラッグ操作などによるものとする。すなわち、例えば、第１操作とそれに続く第２操作とを互いに関連づけることができる。
【００２６】
図２は、表示部１１が表示する表示画面の一例を示した図である。図２に示した表示画面１１ａは、処理を特定するボタン６１から６４を表示する領域６と、所定の場所を示す図（７１）を表示する領域７とを同一の画面に表示する。ここで、括弧内の数字７１は図面上の符号である。この例では、領域６は、照明設備をオン（点灯）させる指示を入力するためのボタン６１と、照明設備をオフ（消灯）させる指示を入力するためのボタン６２と、空調設備の設定温度を上昇させる指示を入力するためのボタン６３と、空調設備の設定温度を低下させる指示を入力するためのボタン６４とを含む。ボタン６１とボタン６２とは互いに異なる色で表示されている。また、ボタン６３とボタン６４とは互いに異なる色で表示されている。なお、本願においては、ボタンはアイコンの一形態であるとする。
【００２７】
図（７１）は、平面図であり、この例ではあるビル（名称を仮に新大橋ビルとする）の２階フロアの一部の範囲を表示している。すなわち、新大橋ビルの２階フロアの全体図が例えば図３に示した図（７３）である場合、図２の図（７１）は図（７３）上で破線で囲んだ一部の範囲に対応している。図（７３）も、図（７１）と同様、本実施形態における所定の場所を示す図である。表示部１１は、入力部１２に対するユーザのタッチ操作に応じて、図２の領域７に表示する図（７１）を拡大あるいは縮小したり、スクロールしたりする。
【００２８】
ここで、図４から図７を参照して、図２の表示画面１１ａに対するユーザの入力操作について一例を説明する。図４は、端末１の入力操作に対する動作の一例を説明するためのフローチャートである。図５及び図６は、図２の表示画面１１ａの表示内容の変化を表示画面１１ｂ及び１１ｃとして示した説明図である。そして、図７は、全体図（７３）を示す平面図である。ここでは、表示部１１が図２に示した表示画面１１ａを表示した状態で、ユーザが図（７１）内の所望の範囲の照明設備をオン（点灯）する操作を行う場合について説明する。
【００２９】
ユーザは、例えば所定のアプリケーションプログラムを起動し、場所の選択等を行うことで図２に示した表示画面１１ａを表示部１１に表示する。そして、図２に示した表示画面１１ａが表示部１１に表示された状態で、ユーザはまず領域６内のボタン６１にタッチする（図５）。この入力操作が、上述した表示部１１が表示した図（７１）が示す場所用の設備に対して所定の動作を指示する第１操作である。図５は、表示部１１が図２の表示画面１１ａを表示している状態で、入力部１２がボタン６１へのタッチを検知した後の表示部１１の表示画面１１ｂを示している。なお、図５で吹き出しで示したタッチ（照明／ＯＮ）は説明文であり、表示内容には含まれない。
【００３０】
ユーザがボタン６１にタッチすると、入力部１２は、ボタン６１がタッチされたことを検知し、次に表示部１１がボタン６１を図２に示した通常の状態から図５に示した選択された状態のアイコンに切り換えて表示する（図４のステップＳ１１）。
【００３１】
次に、ユーザは、照明設備をオンさせる図（７１）内の所望の範囲を指定する操作を行う。この入力操作が、上述した表示部１１が表示した図（７１）上の任意の範囲を指定する第２操作である。例えばユーザが図５に示した図（７１）において下段の１行４個の机７２が位置する区画に対応した照明設備をオンしようとする場合、ユーザは例えば図６に示したように下段の１行４個の机７２を囲む矩形の領域の対角線をおおむねなぞるようにタッチパネル１３上で指をドラッグする（スライドさせる）操作を行う。ドラッグの軌跡を軌跡８１として示した。
【００３２】
ユーザが軌跡８１で示したドラッグの入力操作を行った場合、入力部１２は、軌跡８１上の座標を一定の時間間隔で繰り返し取り込み、軌跡８１上の複数の座標を入力することで、図（７１）上で任意の範囲を指定する操作を入力する（ステップＳ１２）。その際、表示部１１は、入力部１２に対する入力操作に応じて、軌跡８１を表示してもよいし、表示しなくてもよい。また、表示部１１は、軌跡８１を対角線とする矩形の範囲の表示色を変更したり、表示色を周期的に変えて点滅しているように表示したりしてもよい。
【００３３】
次に、送信部１４が、ボタン６１の入力操作に対応する情報（例えばボタン６１の識別情報）を第１情報として、また、範囲指定の入力操作に対応する例えば軌跡８１の始点及び終点を示す座標情報を第２情報として、制御装置２に対して送信する（ステップＳ１３）。例えば図７に示したように、送信部１４は、軌跡８１の始点Ａ及び終点Ｂの座標を、全体図（７３）の左上隅の座標を原点Ｏとする所定の直交座標系の座標で表すことができる。なお、第１情報は、第１操作に対応した情報であり、第１操作の内容を表す情報である。また、上述したように、第１情報は、設備に対する操作の内容を指示するための情報として用いられる。また、第２情報は、第２操作に対応した情報であり、第２操作の内容を表す情報である。また、上述したように、第２情報は、操作対象の設備を特定するための情報として用いられる。
【００３４】
なお、送信部１４は、第１情報と第２情報とを制御装置２に対して送信する際に、例えば、端末１の識別情報、ユーザの識別情報等をあわせて制御装置２に対して送信してもよい。また、端末１の表示部１１が表示する全体図（７３）は、例えば制御装置２から端末１に対して事前に送信して、端末１内の所定の記憶装置に一時的に記憶することができる。この場合、制御装置２は、端末１で表示している図あるいは場所を、端末１から図（７３）の識別情報等の提供を受けることなく、認識することができる。ただし、例えば、端末１が複数の場所の全体図を記憶している場合、ユーザがどの場所の全体図を選択したのかということを、送信部１４は、第１情報及び第２情報とともに、制御装置２に対して送信する。
【００３５】
また、上述したように、第２操作は、上記の図上で任意の範囲を特定の方向になぞる操作に限らず、特定の領域をなぞって囲む操作、第１操作でタッチしたボタンをタッチしたまま図上の任意の位置までドラッグしてドロップする操作等とすることができる。
【００３６】
図８は、第２操作を任意の範囲をなぞって囲む操作とする場合の例を説明するための説明図である。図８に示した表示画面１１ｄ上には、ユーザがボタン６１にタッチした後、対象とする範囲を囲むようになぞった軌跡８２を示している。この場合、軌跡８２は閉じていなくてもよい。また、軌跡８２は、表示してもよいし、表示しなくてもよい。また、軌跡８２で囲まれた範囲あるいはその範囲の周辺を含む範囲の表示色を変更したり、表示色を周期的に変えて点滅しているように表示したりしてもよい。また、送信部１４は、ボタン６１の入力操作に対応する情報（例えばボタン６１の識別情報）を第１情報として、また、例えば、範囲指定の入力操作に対応する軌跡８２の座標の横方向（ｘ方向）の最大値及び最小値と縦方向（ｙ方向）の最大値及び最小値とを第２情報として、制御装置２に対して送信することができる。
【００３７】
次に、図９及び図１０は、第２操作を、第１操作でタッチしたボタンを図上の任意の位置までドラッグしてドロップする操作とする場合の例を説明するための説明図である。図９に示した表示画面１１ｅでは、太線の矢印で示したように、ユーザが第１操作でタッチしたボタン６１をタッチしたまま任意の目的とする位置８３までドラッグした状態を示している。また、図１０に示した表示画面１１ｆでは、ユーザがボタン６１を最終の位置８３でドロップした状態を示している。表示部１１は、ユーザがボタン６１を最終の位置８３でドロップした後、最終の位置８３でボタン６１を継続して表示する。この場合、例えば、ボタン６１をドロップした最終の位置８３の周辺領域８４を指定範囲とすることができる。また、周辺領域８４はユーザによるピンチイン、ピンチアウト等の操作で縮小したり拡大したりできるようにしてもよい。また、周辺領域８４の表示色を変更したり、表示色を周期的に変えて点滅しているように表示したりしてもよい。また、送信部１４は、ボタン６１の入力操作に対応する情報（例えばボタン６１の識別情報）を第１情報として制御装置２に対して送信することができる。また、送信部１４は、例えば、周辺領域８４が予め決められた大きさである場合にはボタン６１の最終の位置８３の座標を第２情報として、また、周辺領域８４を変更可能とした場合にはボタン６１の最終の位置８３の座標と、周辺領域８４の形状や大きさを表す情報とを第２情報として、制御装置２に対して送信することができる。
【００３８】
また、図９及び図１０を参照して説明したように、第２操作を第１操作でタッチしたボタンを図上の任意の位置までドラッグしてドロップする操作とする場合、図１１に示したように、複数のボタンをドラッグ及びドロップできるようにしてもよい。この場合、ユーザは、第１操作としてボタン６１にタッチし、第２操作としてボタン６１を図（７１）上の位置８３までドラッグしてドロップした後、２回目の第１操作としてボタン６４にタッチし、２回目の第２操作としてボタン６４を図（７１）上の位置８５までドラッグしてドロップする入力操作を行う。図１１に示した表示画面１１ｇでは、図１０に示した表示画面１１ｆにおいて、太線の矢印で示したように、ユーザが２回目の第１操作でタッチしたボタン６４を第２操作としてタッチしたまま任意の目的とする位置８５までドラッグした状態を示している。表示部１１は、ユーザがボタン６４を最終の位置８５でドロップした後、最終の位置８５でボタン６４を継続して表示することができる。この場合、例えば、１個目のボタン６１をドロップした最終の位置８３の周辺領域８４を指定範囲としたり、２個目のボタン６４をドロップした最終の位置８５の周辺領域を指定範囲としたり、最終の位置８３と最終の位置８５との両方に基づいて指定範囲を決定したりすることができる。
【００３９】
一方、図１に示した制御装置２は、記憶部２１と、出力部２２と、受信部２３とを備える。制御装置２は、例えばサーバ等のコンピュータとして構成されている。また、記憶部２１、出力部２２及び受信部２３は、ＣＰＵ、ＭＰＵ等のプロセッサ及びその周辺装置と、プロセッサが実行するプログラムとの組み合わせから構成された機能ブロックである。記憶部２１、出力部２２又は受信部２３を構成するプロセッサやプログラムは、各ブロックにそれぞれ設けられていてもよいし、複数のブロックで共用されていてもよい。
【００４０】
受信部２３は、端末１の送信部１４が送信した第１情報と第２情報とを受信する。また、受信部２３は、さらに、端末１の送信部１４が送信した端末１の識別情報やユーザの識別情報、あるいは第１情報と第２情報を作成する際に用いられた場所あるいは全体図についての情報を受信することができる。
【００４１】
記憶部２１は、所定の場所を示す図上の位置に対応付けて当該所定の場所用の１又は複数の設備の区画を示す情報を記憶するとともに、各設備を制御するための情報を記憶する。
【００４２】
図１２は、図（７３）で示した場所用に設置されている照明設備４の区画を示した説明図である。ここで、本実施形態において設備の区画とは、照明設備、空調設備等の設備の効力が及ぶ範囲あるいは利用可能な範囲を意味する。図１２に示した例では、照明設備４は、図（７３）で示された場所用に１８の区画Ｌ１１からＬ６３に分けて、区画毎に独立して制御可能（すなわちオン又はオフ可能）となるように設置されている。記憶部２１は、例えば、場所の識別情報（あるいは図（７３）の識別情報）と設備の識別情報（例えば設備名称）とに対応付けて、図（７３）上の各区画Ｌ１１からＬ６３の範囲を示す座標を、設備の区画を示す情報として記憶する。
【００４３】
次に、図１３は、図（７３）で示した場所用に設置されている空調設備５の区画を示した説明図である。図１３に示した例では、空調設備５は、図（７３）で示された場所用に９の区画Ａ１１からＡ３３に分けて、区画毎に独立して制御可能（すなわち温度調節可能）となるように設置されている。記憶部２１は、例えば、場所の識別情報（あるいは図（７３）の識別情報）と設備の識別情報（例えば設備名称）とに対応付けて、図（７３）上の各区画Ａ１１からＡ３３の範囲を示す座標を、設備の区画を示す情報として記憶する。
【００４４】
図１４は、記憶部２１が記憶する設備の区画を示す情報の構成例を示した説明図である。図１４に示した例では、記憶部２１は、場所の識別情報（すなわち図（７３）の識別情報）と、対象設備の識別情報（設備名称）と、各区画の識別情報と、各区画の範囲を示す座標とを対応付けて記憶する。
【００４５】
なお、設備の区画は、格子状に配置されたものに限らず、区画間にすきまがあってもよい。また各区画の形状は、矩形に限らず、楕円状等、任意の形状とすることができる。また、各区画の範囲を示す座標は、例えば、図７を参照して説明した全体図（７３）の左上隅の座標を原点Ｏとする所定の直交座標系における２点以上の座標の組で表すことができる。
【００４６】
また、記憶部２１は、各設備を制御するための情報として次の情報を記憶する。すなわち、記憶部２１は、図１５に示したように、第１情報の内容に対応づけて、設備の識別情報と設備制御装置３へ送信する制御内容とを複数組記憶する。図１５は、記憶部２１が記憶する各設備を制御するための情報の構成例を示した説明図である。図１５に示した例では、記憶部２１は、第１情報の内容としてボタン６１から６４の識別情報を記憶する。さらに、記憶部２１は、ボタン６１から６４の識別情報に対応付けて、各ボタン６１から６４に予め対応付けられている、対象設備の識別情報と制御内容とを記憶する。
【００４７】
そして、出力部２２は、記憶部２１を参照して、受信部２３が受信した第２情報に対応する１又は複数の設備を選択し、当該選択した１又は複数の設備の動作を受信部２３が受信した第１情報に基づき制御するための制御信号を生成し、設備制御装置３に対して出力する。
【００４８】
ここで、図１６から図２０を参照して、図１の制御装置２の動作例について説明する。図１６は、端末１から第１情報及び第２情報を受信した場合の制御装置２の動作の一例を説明するためのフローチャートである。図１７から図２０は、出力部２２の動作例を説明するための説明図である。
【００４９】
以下の例では、端末１において、第１操作として図５に示したボタン６１をタッチするユーザの入力操作が行われ、続いて第２操作として図６に示した軌跡８１でなぞる操作が行われたことに応じて、端末１から第１情報及び第２情報を含む所定形式の信号が送信されたものとする。この場合、第１情報は、ボタン６１を示す情報を含む。また、第２情報は、図７に示した始点Ａの座標と始点Ｂの座標とを含む。
【００５０】
制御装置２では、端末１から第１情報及び第２情報を含む所定形式の信号が送信されると、受信部２３はこの信号を受信する（図１６のステップＳ２１）。
【００５１】
次に、出力部２２は、記憶部２１を参照し、第２情報に対応する１又は複数の設備の区画を選択する（ステップＳ２２）。この例において、出力部２２は、まず、図１５に示した各設備を制御するための情報を参照し、第１情報（ボタン６１）の対象設備が照明設備であることを認識する。次に、出力部２２は、図１４に示した設備の区画を示す情報を参照して、第２情報（始点Ａの座標と終点Ｂの座標）に対応する区画として、図１７に示した区画Ｌ４２を選択する。図１７は、図１２に示した照明設備４の区画を示した全体図（７３）に、始点Ａの座標と終点Ｂの座標との間を結ぶ直線８１ａを追記したものである。
【００５２】
次に、出力部２２は、ステップＳ２２で選択した１又は複数の設備の区画の動作を第１情報に基づき制御するための制御信号を生成して、設備制御装置３に対して出力する（ステップＳ２３）。この例において、出力部２２は、まず、図１５に示した各設備を制御するための情報を参照し、第１情報（ボタン６１）に対応する制御内容が、オンであること認識する。次に、出力部２２は、対象設備（この例では照明設備）と、制御内容（オン）と、ステップＳ２２で選択した区画Ｌ４２の識別情報とを、所定形式で示す制御信号を生成し、設備制御装置３に対して出力する。
【００５３】
設備制御装置３は、制御信号を受信すると、受信した制御信号に基づき区画Ｌ４２に対応した照明設備４をオンする。
【００５４】
一方、第２操作が、図８に示したように図（７１）上の任意の範囲を囲むようになぞる操作である場合、ステップＳ２２において、出力部２２は、例えば、図１８に示したように、軌跡８２によってなぞられた範囲をすべて含むように区画Ｌ３２と区画Ｌ４２とを選択する。図１８は、図１２に示した照明設備４の区画を示した全体図（７３）に、図８の表示画面１１ｄで入力された軌跡８２を縮尺を合わせて追記したものである。
【００５５】
また、第２操作が、図９に示したように図（７１）上で第１操作でタッチしたボタンを図上の任意の位置までドラッグしてドロップする操作である場合、ステップＳ２２において、出力部２２は、例えば、図１９に示したように、ボタン６１がドロップされた位置８３においてボタン６１を表す図形の中心点８３ｐを中心とする所定の周辺領域８４をすべて含むように、２つの区画Ｌ３２と区画Ｌ４２とを選択する。図１９は、図１２に示した照明設備４の区画を示した全体図（７３）に、図１０の表示画面１１ｆで示した周辺領域８４を追記したものである。
【００５６】
また、第２操作が、図１１に示したように図（７１）上での２組の第１操作及び第２操作で、タッチした２個のボタンを図上の任意の位置までドラッグしてドロップする操作である場合、ステップＳ２２において、出力部２２は、例えば、照明設備４について、図１９に示したように、ボタン６１がドロップされた位置８３においてボタン６１を表す図形の中心点８３ｐを中心とする所定の周辺領域８４をすべて含むように、２つの区画Ｌ３２と区画Ｌ４２を選択するとともに、空調設備５について、図２０に示したように、周辺領域８４をすべて含むように、２つの区画Ａ２２を選択する。図２０は、図１３に示した空調設備５の区画を示した全体図（７３）に、図１１の表示画面１１ｇで示した周辺領域８４を追記したものである。この場合、ステップＳ２３で、出力部２２は、照明設備４に対する制御信号と、空調設備５に対する制御信号との両方を送信する。
【００５７】
以上のように、本実施形態によれば、簡単な操作で任意の範囲に対応する適切な設備を選択することができる。よって、操作における煩わしさを低減することができ、ユーザインターフェースの操作性を向上させることができる。
【００５８】
なお、本発明の実施の形態は、上記のものに限定されない。例えば、ユーザの権限を、操作を行うことができる者と、情報を閲覧することはできるが操作することはできない者とに分けるなど、操作・閲覧を許可する権限を設定してもよい。また、表示部１１では、操作により制御内容や範囲を指定する前に表示画面に、設備の位置を表示してもよい。また、表示部１１に表示する図（７１）は、実空間の位置関係に対応する平面図であってもよいし、図内の位置関係を分かりやすく変形して表示したものであってもよい。また、図（７１）は実際に撮像された画像を含むものであってもよい。
【００５９】
また、例えば図２に示した処理内容を特定するボタンを表示する領域６では、ユーザがフリック操作すなわち入力面を上下又は左右にはじく操作を入力することで、表示するボタンを切り換えることができるようにしてもよい。また、各ボタンは、オン・オフ、上昇・下降といった１項目の処理内容を対応させることに限らず、例えば朝用、昼用、夜用、夏用、冬用、休憩時間用といった環境条件（シーン）に対応させ、シーンを指定することで、複数の内容、制御量などを調整できるようにしてもよい。
【００６０】
ここで、図２１から図２６を参照して、表示部１１が表示する表示画面の他の例について説明する。なお、図２１から図２６において図２等に示したものと同一の構成には同一の符号を用いている。
【００６１】
図２１は、表示部１１が表示する表示画面の一例を示した図である。図２１に示した表示画面１１ｈは、処理を特定するボタンを表示する領域６内にボタン６０１から６０４を表示するとともに、所定の場所を示す図を表示する領域７内に図（７１ａ）を表示する。この場合、図（７１ａ）は、会議室Ａ７２ａと会議室Ｂ７２ｂとを表す表示情報を含む。ボタン６０１は、会議室Ａ７２ａ等の照明設備や空調設備の動作をプロジェクタを使用する利用状況に適した状態に調節する指示を入力するためのボタンである。ボタン６０２は、会議室Ａ７２ａ等の照明設備や空調設備の動作を講演を実施する利用状況に適した状態に調節する指示を入力するためのボタンである。ボタン６０３は、会議室Ａ７２ａ等の照明設備や空調設備の動作を会議を実施する利用状況に適した状態に調節する指示を入力するためのボタンである。ボタン６０４は、会議室Ａ７２ａ等の照明設備や空調設備の動作を休憩室として使用する利用状況に適した状態に調節する指示を入力するためのボタンである。
【００６２】
図２２は、図２１に示した表示画面１１ｈに対する操作例を示した図である。図２２に示した表示画面１１ｉは、太線の矢印９１で示したように、ユーザが第１操作でタッチしたボタン６０１をタッチしたまま任意の目的とする位置９２までドラッグしてドロップした状態（第２操作）を示している。これらの第１及び第２操作によって、ユーザは、会議室Ａ７２ａの照明設備や空調設備の動作をプロジェクタを使用する利用状況に適した状態に調節する指示を入力することができる。
【００６３】
図２３は、表示部１１が表示する表示画面の他の例を示した図である。図２３に示した表示画面１１ｊは、処理を特定するボタンを表示する領域６内にボタン６１１から６１４を表示するとともに、所定の場所を示す図を表示する領域７内に図（７１ａ）を表示する。ボタン６１１は、会議室Ａ７２ａ等の照明設備や空調設備の動作をスライドを上映する際の利用状況に適した状態に調節する指示を入力するためのボタンである。ボタン６１２は、会議室Ａ７２ａ等の照明設備や空調設備の動作を質疑応答を行う際の利用状況に適した状態に調節する指示を入力するためのボタンである。ボタン６１３は、会議室Ａ７２ａ等で予定されている会や行事の開始５分前である旨のアナウンスを当該会議室Ａ７２ａ等において自動で放送させる指示を入力するためのボタンである。ボタン６１４は、会議室Ａ７２ａ等にＶＩＰ（重要人物）が入室中であることを入退室管理装置等の所定の設備に登録させる指示を入力するためのボタンである。
【００６４】
図２４は、図２３に示した表示画面１１ｊに対する操作例を示した図である。図２４に示した表示画面１１ｋは、太線の矢印９３で示したように、ユーザが第１操作でタッチしたボタン６１１をタッチしたまま任意の目的とする位置９４までドラッグしてドロップした状態（第２操作）を示している。これらの第１及び第２操作によって、ユーザは、会議室Ａ７２ａの照明設備や空調設備の動作をスライドを上映する利用状況に適した状態に調節する指示を入力することができる。
【００６５】
なお、図２１又は図２２に示したボタン６０１から６０４又はボタン６１１若しくは６１２は、端末１において、会議室Ａ７２ａ等の空間の利用状況を指示するボタンであるが、それらのボタンが操作された場合に制御装置２では、例えば次のような処理を行うことができる。すなわち、制御装置２は、１つの利用状況の指示に応じて、１又は複数の設備（機器）の制御パラメータを自動算出し、１又は複数の設備を制御するための制御信号を出力する。例えば、「講演」に適した指示を入力するボタン６０２が操作された場合、制御装置２は、照明設備４に対して客席照明をオフ（ＯＦＦ）し、空調設備５に対して空調吹き出し弱を指示する制御を行うことができる。また、制御装置２における上記の制御パラメータの計算は現在の建物状況を考慮して実施することができる。例えば、制御装置２は、省エネが必要な場合は、冷房設定温度を上げる、調光率を下げる等の制御パラメータの調節を行うことができる。
【００６６】
図２５及び図２６は、表示部１１が表示する表示画面の一例を示した図である。上記の説明において、第１操作は、表示部１１が表示する図に示された場所用の設備に対して所定の動作を指示する操作であり、第２操作は、その図上の任意の範囲を指定する操作であるとした。これに対し、図２５及び図２６に示した表示画面１１ｌ及び１１ｍに対する第１操作及び第２操作の内容は次のように異なる。すなわち、図２５及び図２６に示した例では、第１操作は、所定の場所を示す図上の指定位置に対応付けて通知する事項を指定する操作であり、第２操作は、図上で任意の位置を指定する操作である。この第２操作に応じて指定位置を決定することができる。ここで、指定位置とは、所定の場所が含む空間的又は平面的な広がりを有する複数の領域のうちで、ユーザが指定した領域である。例えば、所定の場所が建物である場合、指定位置は当該建物においてユーザが指定したフロア、部屋、区域又は地点等に対応する。また、例えば、所定の場所がフロアである場合、指定位置は当該フロアにおいてユーザが指定した部屋、区域又は地点等に対応する。
【００６７】
図２５に示した表示画面１１ｌは、領域６内にボタン６２１から６２６を表示するとともに、領域７内に図（７１ａ）を表示する。この場合、図（７１ａ）は、会議室Ａ７２ａと会議室Ｂ７２ｂとを表す表示情報を含む。ボタン６２１は、指定位置に故障が発生していることを通知するためのボタンである。ボタン６２２は、指定位置に注意を要する事項が発生していることを通知するためのボタンである。ボタン６２３は、指定位置に発生している故障の内容が、照明設備に関するものであることを指定するためのボタンである。ボタン６２４は、指定位置に発生している故障の内容が、空調設備に関するものであることを指定するためのボタンである。ボタン６２５は、指定位置に発生している注意事項の内容が、作業中であることを指定するためのボタンである。そして、ボタン６２６は、指定位置が解錠状態であることを通知するためのボタンである。
【００６８】
図２５に示した表示画面１１ｌは、太線の矢印９５で示したように、ユーザが第１操作でタッチしたボタン６２１をタッチしたまま任意の目的とする位置９６までドラッグしてドロップした状態（第２操作）を示している。これらの第１及び第２操作によって、ユーザは、会議室Ａ７２ａ（指定位置）の設備に故障が発生していることを制御装置２に対して通知することができる。
【００６９】
また、図２６に示した表示画面１１ｍは、領域６内にボタン６３１から６３６を表示するとともに、領域７内に図（７１ａ）を表示する。ボタン６３１は、指定位置に発生した故障が水漏れであることを指定するためのボタンである。ボタン６３２は、指定位置に発生した故障が電球等の球切れであることを指定するためのボタンである。ボタン６３３は、指定位置に発生した故障がドアの異常であることを指定するためのボタンである。ボタン６３５は、指定位置に発生した故障が異音であることを指定するためのボタンである。ボタン６３４は、指定位置に発生した故障が異音である場合に、異音が空調設備から発生していることを指定するためのボタンである。そして、ボタン６３６は、指定位置に発生している故障の内容が、電気器械等の器具に関するものであることを指定するか、あるいは、指定位置に発生した故障が異音である場合に、異音が当該指定位置に設置されている電気器械等の器具から発生していることを指定するためのボタンである。
【００７０】
図２６に示した表示画面１１ｍは、太線の矢印９７で示したように、ユーザが第１操作でタッチしたボタン６３５をタッチしたまま任意の目的とする位置９８までドラッグしてドロップした状態（第２操作）を示している。これらの第１及び第２操作によって、ユーザは、会議室Ａ７２ａ（指定位置）の設備に発生している故障の内容が異音であるということを制御装置２に対して通知することができる。
【００７１】
なお、図２又は図２１から図２４に示した表示画面１１ａ又は表示画面１１ｈから１１ｋでは、各ボタン６１から６４又は６０１から６０４若しくは６１１から６１４は、場所用の設備に対して所定の動作を指示する入力操作を行うためのボタンである。これに対し、図２５及び図２６に示した表示画面１１ｌ及び１１ｍでは、各ボタン６２１から６２６及び６３１から６３６は、場所用の設備に関して通知すべき事項を指示する入力操作を行うためのボタンである。
【００７２】
また、上述したように本実施形態において、制御内容は、照明設備、空調設備等の機器を直接的に指定して制御する操作に制限されず、下記のように制御するようにしてもよい。例えば、会議室の環境を調整するにあたり、会議室（空間）の利用状況を指定することにより、間接的に当該会議室に対応して設けられている設備を制御することができる。会議室（空間）の利用状況について例示する。例えば、会議室（空間）の利用状況であれば、「プロジェクタ」の利用中か否か、講演中（「講演」）か否か、会議中（「会議」）か否か、休憩時間（「休憩」）か否か等が挙げられる。
【００７３】
また、制御装置２が制御対象とする設備は照明設備４や空調設備５に限定されない。制御装置２は、例えば、図２７に設備群２００として示したような複数の設備を制御対象とすることができる。図２７は、図１に示した制御装置２が、端末１から受信した第１情報、第２情報等に基づいて制御対象とする設備の一例を説明するためのブロック図である。なお、図２７に示した制御装置２では、図１に示した出力部２２を通信部２３として示している。通信部２３は、図１の出力部２２と同一の構成であるが、制御対象の設備との間で双方向で通信を行うことが可能であるということを示すため、名称を変更している。また、図２７では、端末１が、図１では不図示とした出力部１５を備えている。出力部１５は、音や振動を出力する構成であり、例えば端末１が制御装置２から所定の通知を受けた場合に、所定の音や振動を発生する。
【００７４】
入退出管理設備２０１は、例えば建物内の各部屋への従業員等の入退出を管理する装置であり、制御装置２から受信した制御信号に応じて、各部屋のドアロック２０１を施錠したり、解錠したりする。例えば、入退出管理設備２０１は、予め登録された従業員の建物内での位置を常に把握し、従業員が不在の部屋のドアロック２０１を施錠するという制御を行うことができる。この場合に、制御装置２は、図２３等に示したボタン６１４に対するユーザによる第１操作と第２操作とに応じた第１及び第２情報に基づいて、ＶＩＰが入出している部屋の情報を入退出管理設備２０１へ通知することで、当該部屋のドアロックを解錠可能な状態に制御することができる。
【００７５】
情報セキュリティ管理装置２１１は、複数のＰＣ２１２を遠隔操作してロックする（使用できないようにする）機能を有する。例えば、端末１の表示部１１で、ＰＣをロックする指示を入力するためのボタンと、ＰＣの設置位置を示す図とを表示する。端末１においてそのボタンと図に対する第１及び第２操作がなされた場合、制御装置２は、情報セキュリティ管理装置２１１に対して当該設置位置に対応付けられたＰＣをロックするよう指示する制御信号を出力することができる。
【００７６】
放送設備２２１は、例えば各部屋に設置されたスピーカ２２２を用いて、各部屋に所定の音響信号を放送する。制御装置２は、図２３等に示したボタン６１３に対するユーザによる第１操作と第２操作とに応じた第１及び第２情報に基づいて、開始５分前の制御が指示された部屋の情報を放送設備２２１へ通知することで、当該部屋のスピーカ２２２を用いて開始５分前を告げる放送を実行することができる。
【００７７】
なお、図２７において、照明設備４、空調設備５、ドアロック２０２、ＰＣ２１２及びスピーカ２２２は、それぞれ、部屋等の所定の場所で用いられる電気機器である。
【００７８】
通知システム２３１は、電子メール、掲示板、ソーシャルネットワーク等を用いて、例えば、所定のメッセージを送信する機能を有する。制御装置２は、図２５、図２６等に示したボタン６２１等に対するユーザによる第１操作と第２操作とに応じた第１及び第２情報に基づいて、予め決められた送り先等に部屋と故障の内容等を通知するよう指示する制御信号を通知システム２３１へ出力することができる。
【００７９】
以上、本発明の実施形態について説明したが、図１の制御システム１００の各装置は、内部にコンピュータシステムを有している。そして、上述した処理に関する一連の処理の過程は、プログラムの形式でコンピュータ読み取り可能な記憶媒体に記憶されており、このプログラムをコンピュータが読み出して実行することによって、上記処理が行われる。ここで、コンピュータ読み取り可能な記憶媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳ等も含むものとする。
【００８０】
そして、端末１、制御装置２、設備制御装置３、照明設備４、及び空調設備５における各処理の全部又は一部の処理は、ＣＰＵ等の中央演算処理装置がＲＯＭやＲＡＭ等の主記憶装置に上記プログラムを読み出して、情報の加工、演算処理を実行することにより、実現されるものである。勿論、制御システム１００を構成する各処理部は専用のハードウェアにより実現されるものであってもよい。
【００８１】
また、本発明の実施の形態は、上述の図示例にのみ限定されるものではなく、本発明の要旨を逸脱しない範囲内において種々変更を加え得ることは勿論である。
【００８２】
また、図４及び図６に示す手順は、一例を示すものであり、適用するシステムに応じて、同様の手順を複数繰り返し実施したり、一部を追加したり一部を省略したりすることができる。
【００８３】
また、制御装置２の全部又は一部の機能を仮想化させて、クラウドサーバとして構成してもよい。また、制御装置２に設備制御装置３の機能を設けて、照明設備４又は空調設備５の一部又は全部を制御装置２で直接制御してもよい。その場合、制御信号は、制御装置２内部の信号となる。
【００８４】
また、対象とする範囲を指定する範囲指定操作に基づいて定められる上記の「第２の情報」は、例えば、下記のように定めることができる。
第１の例：端末１の画面（表示画面１１ａ等。以下同じ。）上の「特定の位置」を示す情報
「アイコンがおかれた座標」等のように、ユーザが画面から手を放した位置に応じて定まる位置を示す情報とする。この場合の位置は、ユーザが画面から手を放した位置そのものであってもよく、手を放した位置に基づいて定まる位置であって、手を放した位置近傍の代表位置であってもよい。
【００８５】
第２の例：端末１の画面上をなぞった軌跡に応じて定まる「特定の位置の集合体」を示す情報群
例えば、端末１は、ユーザが画面上をなぞった軌跡をもとにして、当該軌跡を、端末１の画面に応じて定めた座標系に存在する点の集合体として扱う。端末１は、集合体として扱う各点の位置の情報を含む第２の情報を制御装置２に送る。制御装置２は、端末１から第２の情報を得て、得られた第２の情報と端末１に表示させていた平面図（図（７１）等。以下、同じ。）の範囲を示す情報から、画面上をなぞった軌跡（線）に対応する実空間上の位置（範囲）を得る。
【００８６】
第３の例：画面上をなぞった軌跡に応じて定まる「特定の位置の集合体」を示す情報群
例えば、端末１は、ユーザが画面上をなぞった軌跡をもとにして、当該軌跡によって囲まれた範囲を、端末１の画面に応じて定めた座標系における範囲に対応づけて、当該範囲を示す情報に変換する。端末１は、当該範囲の位置を示す情報を第２の情報として制御装置２に送る。制御装置２は、端末１から第２の情報を得て、得られた第２の情報と端末１に表示させていた平面図の範囲を示す情報から、画面上をなぞった軌跡（線）に対応する実空間上の位置（範囲）を得る。
【００８７】
以上に示したように、範囲指定操作に対応する第２の情報を規定することができる。
【００８８】
なお、対象を指定するために用いるボタン（アイコン）の表示を、下記のように定めることができる。
例えば、屋内の環境を調整する設備を制御する場合、対象とする設備を制御する制御指令をユーザが視覚的な特徴から判読しやすくするように、ボタン（アイコン）の表示を行うようにしてもよい。ボタン（アイコン）の表示における視覚的な特徴は、少なくともボタン（アイコン）の色、形、パタン、デザイン、立体視、動き、シーンの何れかから想到される環境に応じて形成されていてもよい。
【００８９】
例えば、端末１の画面には、互いに異なる色になるように色分けされた複数の操作ボタンが配列されている。各操作ボタンには、それぞれの操作ボタンに対応する環境が設定されているとする。ユーザは、各操作ボタンを操作することにより環境を調整できることと、色から容易にイメージされる環境が対応付けられていることが認知できれば、操作ボタンに文字などを表示しなくても、環境を調整するための操作を行えるようになる。
このように色分けされた操作ボタンを操作することにより、周囲の環境が、各操作ボタンの色から容易にイメージされる環境になるように調整することができる。
【００９０】
ところで、各色が人の心理に影響することが知られている。例えば、「赤」は、情熱、活動的なイメージをもたらし、「橙」は、陽気、快活なイメージをもたらし、「黄」は、明朗、躍動的なイメージをもたらし、「緑」は、さわやかさや平和的なイメージをもたらし、「紫」は、上品、優雅なイメージをもたらすものという知見がある。
【００９１】
そこで、業務を処理する状況に適した環境を、色を用いて指定することにする。例えば、業務を活動的に処理する状況に適した環境を指定する際に選択する色を「赤」にする。業務を快活に処理する状況に適した環境を指定する際に選択する色を「橙」にする。業務を明るい気持ちで処理する状況に適した環境を指定する際に選択する色を「黄」にする。業務を落ち着いた気持ちで処理する状況に適した環境を指定する際に選択する色を「緑」にする。業務を優雅な気持ちで処理する状況に適した環境を指定する際に選択する色を「紫」にする。
さらに、標準的な環境を無彩色で示し、業務を処理する状況に適した環境に標準的な環境からシフトさせる度合いを彩度に応じて定めてもよい。例えば、標準的な環境を「白」で示す。以上の割り付けの例は一例であり、上記以外の定義を行うことを制限するものではない。
上記のような表示を端末１に表示させることにより、制御システム１００は、上記のように形成された特徴に対応付けられている環境にするように各設備の制御量を調整するようにしてもよい。
【００９２】
なお、上記の説明では、照明装置の制御内容を照明のオン（点灯）・オフ（消灯）等の状態が一意にきまる動作条件を指定する例を示したが、状態が一意にきまる動作条件を指定する代わりに、より「明るく」・より「暗く」などのように、現在の環境に対する相対的な動作条件を指定するようにしてもよい。また、空調設備であれば、より「暖かく」・より「冷たく」などのように、現在の環境に対する相対的な動作条件を指定するようにしてもよい。上記のように、制御指令の結果が具体的なオン状態やオフ状態を示すものに限られず、相対的な動作条件を指定するという抽象的な指示を行えるようにすることができる。
上記のように相対的な動作条件を指定する際に、各設備に与える制御指令の制御パラメータは、現時点の設備の利用状況、又は、将来予測される設備の利用を加味して行うようにしてもよい。例えば、会議室においてプロジェクタを利用して講演を行っている状況であれば、制御システム１００は、聴講者側の照明の光量を低減させるように調効率を下げたり、空調設備の風量を低減させたりするように、各設備を制御するための制御パラメータを調整してもよい。
或いは、上記のように相対的な動作条件を指定する際に、各設備に与える制御指令の制御パラメータは、現在の建物の状況、又は、将来予測される建物の状況を加味して行うようにしてもよい。例えば、建物における消費エネルギーを低減させることが必要な状況であれば、空調設備の冷房運転の設定温度を上げたり、照明設備の調光率を下げたりするように、各設備を制御するための制御パラメータを調整してもよい。
【００９３】
また、端末１の操作に基づいて、設備の制御や、業務の依頼等の指示を行った場合、制御システムは、その制御や依頼の結果を端末１にフィードバックする。例えば、端末１にフィードバックした結果を出力する方法として、端末１から音を出力させたり、端末１を振動させたりする等の方法が挙げられる。
【００９４】
また、端末１に表示する平面図は、端末１の位置、又は、端末１のユーザの位置に基づいて選択された範囲が表示されるようにしてもよい。例えば、建物には、端末１の位置、又は、端末１のユーザの位置を検出する位置検出システムが設けられている。制御システムは、位置検出システムによって検出された端末１の位置、又は、端末１のユーザの位置を位置検出システムから所得する。
制御システムは、取得した位置情報に基づいて定めた範囲の平面図を端末１に表示させるように端末１を制御する。その範囲の平面図を表示させる際に、制御システムは、取得した位置情報による端末１の位置、又は、端末１のユーザの位置が、端末1に表示する平面図の中心になるようにする。
【００９５】
また、端末１から指定した範囲の対象を指定できない場合がある。例えば、指定した範囲に、同範囲に対応する設備などのものが存在していないにもかかわらず、ユーザが誤って上記の存在しないものを指定した場合、端末１から指定した範囲の対象を指定できない状況が生じる。このような場合、制御システム１００は、端末１からの要求により、指定した範囲の対象を選択（指定）できなかったことを端末１に表示する。例えば、制御システム１００は、選択できた場合に表示する線（なぞる操作の軌跡）やドロップしたアイコンの表示を、選択できなかった場合に表示させないようにする。又は、上記の選択できなかった場合に、端末1の画面に警告の表示を行ったり、端末１においてビープ音などのアラーム音を出力したり、端末１を振動させたりするなどの方法で警告を出力するようにしてもよい。
【符号の説明】
【００９６】
１００  制御システム、
１  端末、１１  表示部、１２  入力部、１３  タッチパネル、１４  送信部、
２  制御装置、２１  記憶部、２２  出力部、２３  受信部、
３  設備制御装置、
４  照明設備、
５  空調設備
【図１】
2019050055.tif 000003
【図２】
2019050055.tif 000004
【図３】
2019050055.tif 000005
【図４】
2019050055.tif 000006
【図５】
2019050055.tif 000007
【図６】
2019050055.tif 000008
【図７】
2019050055.tif 000009
【図８】
2019050055.tif 000010
【図９】
2019050055.tif 000011
【図１０】
2019050055.tif 000012
【図１１】
2019050055.tif 000013
【図１２】
2019050055.tif 000014
【図１３】
2019050055.tif 000015
【図１４】
2019050055.tif 000016
【図１５】
2019050055.tif 000017
【図１６】
2019050055.tif 000018
【図１７】
2019050055.tif 000019
【図１８】
2019050055.tif 000020
【図１９】
2019050055.tif 000021
【図２０】
2019050055.tif 000022
【図２１】
2019050055.tif 000023
【図２２】
2019050055.tif 000024
【図２３】
2019050055.tif 000025
【図２４】
2019050055.tif 000026
【図２５】
2019050055.tif 000027
【図２６】
2019050055.tif 000028
【図２７】
2019050055.tif 000029